(57)【要約】【課題】色域の算出の自由度を向上させることができる色域外郭算出装置、色域外郭算出方法、及び色域外郭算出プログラムを提供する。【解決手段】デバイス外郭構築部１は、上半外郭構築部１１、下半外郭構築部１２、及び規制外郭構築部１３を含んで構成される。パラメータ設定部３は、対象とするカラー出力デバイスでカラー画像を形成するために使用することが可能な色材の総量の最大値である色材総量制限値及び各色のデバイス色信号の色材の最大値である単色制限値を設定する。デバイス外郭構築部１は、墨を含まないカラー出力デバイスの色域外郭を、パラメータ設定部３で設定された各色の単色制限値及び色材総量制限値の全てを越えないデバイス色信号による外郭点のみから構成されるように構築する。【選択図】図１
2010093621.tif 000002
【特許請求の範囲】
【請求項１】
墨を含まない３次元以上のデバイス色空間の各デバイス色信号の色材のうち少なくとも一つの色材の単色制限値及び各デバイス色の色材総量の色材総量制限値を設定する設定手段と、
前記デバイス色空間における１以上の色成分が０％となる色域外郭上の点である外郭点のうち前記単色制限値及び前記色材総量制限値を満たす外郭点からなる上半外郭を構築する上半外郭構築手段と、
前記デバイス色空間における１以上の色成分が前記単色制限値を満たす色域外郭上の点である外郭点のうち前記色材総量制限値を満たす外郭点からなる下半外郭を構成する下半外郭構築手段と、
前記上半外郭及び前記下半外郭のうち前記デバイス色信号が前記単色制限値及び前記色材総量制限値を満たす外郭点のうち最外郭の外郭点と連結され、前記単色制限値及び前記色材総量制限値を満たす外郭点からなる規制外郭を求める規制外郭構築手段と、
前記上半外郭、前記下半外郭、及び前記規制外郭の外郭点を前記デバイス色空間以外の色空間における外郭点に変換する色空間変換手段と、
を有する色域外郭算出装置。
【請求項２】
前記上半外郭構築手段及び前記下半外郭構築手段は、前記色材総量制限値を越える外郭点と隣接する外郭点が前記色材総量制限値未満の場合には、前記色材総量制限値を越える外郭点を前記色材総量制限値と等しくなるように修正する
請求項１記載の色域外郭算出装置。
【請求項３】
墨を含む４次元以上のデバイス色空間の各デバイス色信号の色材のうち少なくとも一つの色材の単色制限値、前記デバイス色空間のうち上半領域における色材総量の上半色材総量制限値、及び前記デバイス色空間のうち下半領域における色材総量の下半色材総量制限値を設定する設定手段と、
前記デバイス色空間における墨が０％かつ墨以外の１以上の色成分が０％となる色域外郭上の外郭点のうち前記単色制限値及び前記上半色材総量制限値を満たす色域外郭上の点である外郭点からなる上半外郭を構築する上半外郭構築手段と、
前記上半色材総量制限値及び前記下半色材総量制限値に基づいて、前記デバイス色空間のうち前記上半領域と下半領域との間の中間領域における色材総量の中間色材総量制限値を求め、前記デバイス色空間における墨以外の１以上の色成分が前記単色制限値を満たし且つ墨以外の１以上の色成分が０％となる色域外郭上の外郭点のうち前記中間色材総量制限値を満たさない外郭点を、前記中間色材総量制限値を満たすように修正又は削除して中間外郭を構築する中間外郭構築手段と、
前記デバイス色空間における墨の色成分が前記単色制限値を満たし且つ墨以外の１以上の色成分が前記単色制限値を満たす色域外郭上の外郭点のうち前記下半色材総量制限値を満たす外郭点からなる下半外郭を構築する下半外郭構築手段と、
前記上半外郭、前記中間外郭、及び前記下半外郭のうち、前記デバイス色信号が前記上半色材総量制限値、前記中間色材総量制限値、及び前記下半色材総量制限値を満たす外郭点のうち最外郭の外郭点と連結され、前記単色制限値を満たし且つ、前記上半色材総量制限値、前記中間色材総量制限値、及び前記下半色材総量制限値を満たす外郭点からなる規制外郭を構築する規制外郭構築手段と、
前記上半外郭、前記中間外郭、前記下半外郭、及び前記規制外郭の外郭点から前記デバイス色空間以外の色空間における外郭点に変換する色空間変換手段と、
を有する色域外郭算出装置。
【請求項４】
前記上半外郭構築手段は、前記上半色材総量制限値を越える外郭点と隣接する外郭点が前記上半色材総量制限値未満の場合には、前記上半色材総量制限値を越える外郭点を前記上半色材総量制限値と等しくなるように修正する
請求項３記載の色域外郭算出装置。
【請求項５】
前記下半外郭構築手段は、前記下半色材総量制限値を越える外郭点と隣接する外郭点が前記下半色材総量制限値未満の場合には、前記下半色材総量制限値を越える外郭点を前記下半色材総量制限値と等しくなるように修正する
請求項３又は請求項４記載の色域外郭算出装置。
【請求項６】
前記上半外郭構築手段及び前記下半外郭構築手段は、前記単色制限値を越える外郭点と隣接する外郭点が前記単色制限値未満の場合には、前記単色制限値を越える外郭点を前記単色制限値と等しくなるように修正する
請求項１〜請求項５の何れか１項に記載の色域外郭算出装置。
【請求項７】
前記上半色材総量制限値は、前記下半色材総量制限値よりも大きい
請求項３〜請求項６の何れか１項に記載の色域外郭算出装置。
【請求項８】
前記中間外郭構築手段は、前記上半外郭構築手段によって求められた上半外郭の形状に応じて前記中間外郭の形状を変化させる
請求項３〜請求項７の何れか１項に記載の色域外郭算出装置。
【請求項９】
前記中間外郭構築手段は、前記中間色材総量制限値に応じて前記中間外郭の形状を変化させる
請求項３〜請求項８の何れか１項に記載の色域外郭算出装置。
【請求項１０】
前記中間色材総量制限値は、墨の色成分に応じて設定される
請求項１〜請求項９の何れか１項に記載の色域外郭算出装置。
【請求項１１】
前記設定手段は、前記デバイス色信号毎に前記単色制限値を０％〜１００％まで設定可能である
請求項１〜請求項６の何れか１項に記載の色域外郭算出装置。
【請求項１２】
墨を含まない３次元以上のデバイス色空間の各デバイス色信号の色材のうち少なくとも一つの色材の単色制限値及び各デバイス色の色材総量の色材総量制限値を設定するステップと、
前記デバイス色空間における１以上の色成分が０％となる色域外郭上の点である外郭点のうち前記単色制限値及び前記色材総量制限値を満たす外郭点からなる上半外郭を構築するステップと、
前記デバイス色空間における１以上の色成分が前記単色制限値を満たす色域外郭上の点である外郭点のうち前記色材総量制限値を満たす外郭点からなる下半外郭を構築するステップと、
前記上半外郭及び前記下半外郭のうち前記デバイス色信号が前記色材総量制限値を満たす外郭点のうち最外郭の外郭点と連結され、前記単色制限値及び前記色材総量制限値を満たす外郭点からなる規制外郭を構築するステップと、
前記上半外郭、前記下半外郭、及び前記規制外郭の外郭点から前記デバイス色空間以外の色空間における前記色域外郭を構築するステップと、
を含む色域外郭算出方法。
【請求項１３】
墨を含む４次元以上のデバイス色空間の各デバイス色信号の色材のうち少なくとも一つの色材の単色制限値、前記デバイス色空間のうち上半領域における色材総量の上半色材総量制限値、及び前記デバイス色空間のうち下半領域における色材総量の下半色材総量制限値を設定するステップと、
前記上半色材総量制限値及び前記下半色材総量制限値に基づいて、前記デバイス色空間のうち前記上半領域と下半領域との間の中間領域における色材総量の中間色材総量制限値を求めるステップと、
前記デバイス色空間における墨が０％かつ墨以外の１以上の色成分が０％となる色域外郭上の外郭点のうち前記単色制限値及び前記上半色材総量制限値を満たす色域外郭上の点である外郭点からなる上半外郭を構築するステップと、
前記デバイス色空間における墨以外の１以上の色成分が前記単色制限値を満たし且つ墨以外の１以上の色成分が０％となる色域外郭上の外郭点のうち前記中間色材総量制限値を満たさない外郭点を、前記中間色材総量制限値を満たすように修正又は削除して中間外郭を構築するステップと、
前記デバイス色空間における墨の色成分が前記単色制限値を満たし且つ墨以外の１以上の色成分が前記単色制限値を満たす色域外郭上の外郭点のうち前記下半色材総量制限値を満たす外郭点からなる下半外郭を構築するステップと、
前記上半外郭、前記中間外郭、及び前記下半外郭のうち、前記デバイス色信号が前記上半色材総量制限値、前記中間色材総量制限値、及び前記下半色材総量制限値の少なくとも一つを満たす外郭点のうち最外郭の外郭点と連結され、前記単色制限値を満たし且つ、前記上半色材総量制限値、前記中間色材総量制限値、及び前記下半色材総量制限値の少なくとも一つを満たす外郭点からなる規制外郭を構築するステップと、
前記上半外郭、前記中間外郭、前記下半外郭、及び前記規制外郭の外郭点から前記デバイス色空間以外の色空間における外郭点に変換するステップと、
を含む色域外郭算出方法。
【請求項１４】
コンピュータを、請求項１〜請求項１１の何れか１項に記載の色域外郭算出装置を構成する各手段として機能させるための色域外郭算出プログラム。
【発明の詳細な説明】
【技術分野】
【０００１】
本発明は、色域外郭算出装置、色域外郭算出方法、及び色域外郭算出プログラムに関する。
【背景技術】
【０００２】
カラーレーザープリンタやカラーインクジェットプリンタ、印刷機、ＣＲＴ、液晶ディスプレイなどのカラー出力デバイスには、再現できる色の範囲である色域というデバイス固有の特性を持っている。そして、このデバイスの色域は出力するべき色信号を対象のデバイスで出力できる色へ変換する場合に使用される。従って、目的に応じた高精度な色再現を実現するためには、高精度に色域を算出する技術が必要となる。
【０００３】
特にカラーレーザープリンタやカラーインクジェットプリンタなどのカラー出力デバイスにはトナーやインクの総量に対する制限というものがあり、カラーレーザープリンタの場合には出力速度やトナーの特性および定着器の性能などの制約から、また、カラーインクジェットプリンタの場合でも出力速度やインクの特性及び紙の吸水特性などの制約から、色材の総量制限が通常は課せられている。
【０００４】
色材の総量制限を加味した色域を算出する従来の方法としては、特許文献１に記載の方法がある。これは、対象としているデバイス色空間上で総量制限を加味しながら色域外郭となる格子点を算出し、この格子点を目的とする色空間へ色変換を行うことにより、高精度に色域を算出する方法である。
【特許文献１】特開２００６−３５２４７５号公報
【発明の開示】
【発明が解決しようとする課題】
【０００５】
本発明は、単色の最大値の制限がある場合でも、色域の算出の自由度を向上させることができる色域外郭算出装置、色域外郭算出方法、及び色域外郭算出プログラムを提供することを目的とする。
【課題を解決するための手段】
【０００６】
上記目的を達成するために、請求項１記載の色域外郭算出装置の発明は、墨を含まない３次元以上のデバイス色空間の各デバイス色信号の色材のうち少なくとも一つの色材の単色制限値及び各デバイス色の色材総量の色材総量制限値を設定する設定手段と、前記デバイス色空間における１以上の色成分が０％となる色域外郭上の点である外郭点のうち前記単色制限値及び前記色材総量制限値を満たす外郭点からなる上半外郭を構築する上半外郭構築手段と、前記デバイス色空間における１以上の色成分が前記単色制限値を満たす色域外郭上の点である外郭点のうち前記色材総量制限値を満たす外郭点からなる下半外郭を構成する下半外郭構築手段と、前記上半外郭及び前記下半外郭のうち前記デバイス色信号が前記単色制限値及び前記色材総量制限値を満たす外郭点のうち最外郭の外郭点と連結され、前記単色制限値及び前記色材総量制限値を満たす外郭点からなる規制外郭を求める規制外郭構築手段と、前記上半外郭、前記下半外郭、及び前記規制外郭の外郭点を前記デバイス色空間以外の色空間における外郭点に変換する色空間変換手段と、を有する。
【０００７】
請求項２記載の発明は、前記上半外郭構築手段及び前記下半外郭構築手段は、前記色材総量制限値を越える外郭点と隣接する外郭点が前記色材総量制限値未満の場合には、前記色材総量制限値を越える外郭点を前記色材総量制限値と等しくなるように修正する。
【０００８】
請求項３記載の色域外郭算出装置の発明は、墨を含む４次元以上のデバイス色空間の各デバイス色信号の色材のうち少なくとも一つの色材の単色制限値、前記デバイス色空間のうち上半領域における色材総量の上半色材総量制限値、及び前記デバイス色空間のうち下半領域における色材総量の下半色材総量制限値を設定する設定手段と、前記デバイス色空間における墨が０％かつ墨以外の１以上の色成分が０％となる色域外郭上の外郭点のうち前記単色制限値及び前記上半色材総量制限値を満たす色域外郭上の点である外郭点からなる上半外郭を構築する上半外郭構築手段と、前記上半色材総量制限値及び前記下半色材総量制限値に基づいて、前記デバイス色空間のうち前記上半領域と下半領域との間の中間領域における色材総量の中間色材総量制限値を求め、前記デバイス色空間における墨以外の１以上の色成分が前記単色制限値を満たし且つ墨以外の１以上の色成分が０％となる色域外郭上の外郭点のうち前記中間色材総量制限値を満たさない外郭点を、前記中間色材総量制限値を満たすように修正又は削除して中間外郭を構築する中間外郭構築手段と、前記デバイス色空間における墨の色成分が前記単色制限値を満たし且つ墨以外の１以上の色成分が前記単色制限値を満たす色域外郭上の外郭点のうち前記下半色材総量制限値を満たす外郭点からなる下半外郭を構築する下半外郭構築手段と、前記上半外郭、前記中間外郭、及び前記下半外郭のうち、前記デバイス色信号が前記上半色材総量制限値、前記中間色材総量制限値、及び前記下半色材総量制限値を満たす外郭点のうち最外郭の外郭点と連結され、前記単色制限値を満たし且つ、前記上半色材総量制限値、前記中間色材総量制限値、及び前記下半色材総量制限値を満たす外郭点からなる規制外郭を構築する規制外郭構築手段と、前記上半外郭、前記中間外郭、前記下半外郭、及び前記規制外郭の外郭点から前記デバイス色空間以外の色空間における外郭点に変換する色空間変換手段と、を有する。
【０００９】
請求項４記載の発明は、前記上半外郭構築手段は、前記上半色材総量制限値を越える外郭点と隣接する外郭点が前記上半色材総量制限値未満の場合には、前記上半色材総量制限値を越える外郭点を前記上半色材総量制限値と等しくなるように修正する。
【００１０】
請求項５記載の発明は、前記下半外郭構築手段は、前記下半色材総量制限値を越える外郭点と隣接する外郭点が前記下半色材総量制限値未満の場合には、前記下半色材総量制限値を越える外郭点を前記下半色材総量制限値と等しくなるように修正する。
【００１１】
請求項６記載の発明は、前記上半外郭構築手段及び前記下半外郭構築手段は、前記単色制限値を越える外郭点と隣接する外郭点が前記単色制限値未満の場合には、前記単色制限値を越える外郭点を前記単色制限値と等しくなるように修正する。
【００１２】
請求項７記載の発明は、前記上半色材総量制限値は、前記下半色材総量制限値よりも大きい。
【００１３】
請求項８記載の発明は、前記中間外郭構築手段は、前記上半外郭構築手段によって求められた上半外郭の形状に応じて前記中間外郭の形状を変化させる。
【００１４】
請求項９記載の発明は、前記中間外郭構築手段は、前記中間色材総量制限値に応じて前記中間外郭の形状を変化させる。
【００１５】
請求項１０記載の発明は、前記中間色材総量制限値は、墨の色成分に応じて設定される。
【００１６】
請求項１１記載の発明は、前記設定手段は、前記デバイス色信号毎に前記単色制限値を０％〜１００％まで設定可能である。
【００１７】
請求項１２記載の色域外郭算出方法の発明は、墨を含まない３次元以上のデバイス色空間の各デバイス色信号の色材のうち少なくとも一つの色材の単色制限値及び各デバイス色の色材総量の色材総量制限値を設定するステップと、前記デバイス色空間における１以上の色成分が０％となる色域外郭上の点である外郭点のうち前記単色制限値及び前記色材総量制限値を満たす外郭点からなる上半外郭を構築するステップと、前記デバイス色空間における１以上の色成分が前記単色制限値を満たす色域外郭上の点である外郭点のうち前記色材総量制限値を満たす外郭点からなる下半外郭を構築するステップと、前記上半外郭及び前記下半外郭のうち前記デバイス色信号が前記色材総量制限値を満たす外郭点のうち最外郭の外郭点と連結され、前記単色制限値及び前記色材総量制限値を満たす外郭点からなる規制外郭を構築するステップと、前記上半外郭、前記下半外郭、及び前記規制外郭の外郭点から前記デバイス色空間以外の色空間における前記色域外郭を構築するステップと、を含む。
【００１８】
請求項１３記載の発明は、墨を含む４次元以上のデバイス色空間の各デバイス色信号の色材のうち少なくとも一つの色材の単色制限値、前記デバイス色空間のうち上半領域における色材総量の上半色材総量制限値、及び前記デバイス色空間のうち下半領域における色材総量の下半色材総量制限値を設定するステップと、前記上半色材総量制限値及び前記下半色材総量制限値に基づいて、前記デバイス色空間のうち前記上半領域と下半領域との間の中間領域における色材総量の中間色材総量制限値を求めるステップと、前記デバイス色空間における墨が０％かつ墨以外の１以上の色成分が０％となる色域外郭上の外郭点のうち前記単色制限値及び前記上半色材総量制限値を満たす色域外郭上の点である外郭点からなる上半外郭を構築するステップと、前記デバイス色空間における墨以外の１以上の色成分が前記単色制限値を満たし且つ墨以外の１以上の色成分が０％となる色域外郭上の外郭点のうち前記中間色材総量制限値を満たさない外郭点を、前記中間色材総量制限値を満たすように修正又は削除して中間外郭を構築するステップと、前記デバイス色空間における墨の色成分が前記単色制限値を満たし且つ墨以外の１以上の色成分が前記単色制限値を満たす色域外郭上の外郭点のうち前記下半色材総量制限値を満たす外郭点からなる下半外郭を構築するステップと、前記上半外郭、前記中間外郭、及び前記下半外郭のうち、前記デバイス色信号が前記上半色材総量制限値、前記中間色材総量制限値、及び前記下半色材総量制限値の少なくとも一つを満たす外郭点のうち最外郭の外郭点と連結され、前記単色制限値を満たし且つ、前記上半色材総量制限値、前記中間色材総量制限値、及び前記下半色材総量制限値の少なくとも一つを満たす外郭点からなる規制外郭を構築するステップと、前記上半外郭、前記中間外郭、前記下半外郭、及び前記規制外郭の外郭点から前記デバイス色空間以外の色空間における外郭点に変換するステップと、を含む。
【００１９】
請求項１４記載の色域外郭算出プログラムの発明は、コンピュータを、請求項１〜請求項１１の何れか１項に記載の色域外郭算出装置を構成する各手段として機能させるための色域外郭算出プログラムである。
【発明の効果】
【００２０】
請求項１記載の発明によれば、本構成を有さない場合と比較して、単色の最大値の制限がある場合でも、色域の算出の自由度を向上させることができる、という効果を有する。
【００２１】
請求項２記載の発明によれば、本構成を有さない場合と比較して、色材総量が制限される範囲内で最大の色域を構築することができる、という効果を有する。
【００２２】
請求項３記載の発明によれば、本構成を有さない場合と比較して、単色の最大値の制限がある場合でも、色域の算出の自由度を向上させることができる、という効果を有する。
【００２３】
請求項４記載の発明によれば、本構成を有さない場合と比較して、色域の上半領域の色材総量が制限される範囲内で最大の色域を構築することができる、という効果を有する。
【００２４】
請求項５記載の発明によれば、本構成を有さない場合と比較して、色域の下半領域の色材総量が制限される範囲内で最大の色域を構築することができる、という効果を有する。
【００２５】
請求項６記載の発明によれば、本構成を有さない場合と比較して、単色の色材が制限される範囲内で最大の色域を構築することができる、という効果を有する。
【００２６】
請求項７記載の発明によれば、本構成を有さない場合と比較して、下半色材総量制限値が上半色材総量制限値よりも大きい場合と比較して、大きい色域を構築することができる、という効果を有する。
【００２７】
請求項８記載の発明によれば、本構成を有さない場合と比較して、接合部分における外郭点の不整合を防止することができる、という効果を有する。
【００２８】
請求項９記載の発明によれば、本構成を有さない場合と比較して、接合部分における外郭点の不整合を防止することができる、という効果を有する。
【００２９】
請求項１０記載の発明によれば、本構成を有さない場合と比較して、中間色材総量制限値を上半色材総量制限値から下半色材総量制限値まで墨量に応じて滑らかに変化させることが可能になる、という効果を有する。
【００３０】
請求項１１記載の発明によれば、本構成を有さない場合と比較して、色域の算出の自由度をより向上させることができる、という効果を有する。
【００３１】
請求項１２〜１４記載の発明によれば、本構成を有さない場合と比較して、単色の最大値の制限がある場合でも、色域の算出の自由度を向上させることができる、という効果を有する。
【発明を実施するための最良の形態】
【００３２】
（第１実施形態）
以下、本発明の第１実施形態について説明する。
【００３３】
図１は、本発明の第１実施形態に係る色域外郭算出装置１０を示すブロック図である。同図に示すように、色域外郭算出装置１０は、デバイス外郭構築部１、色空間変換部２、及びパラメータ設定部３を含んで構成されている。
【００３４】
デバイス外郭構築部１は、上半外郭構築部１１、下半外郭構築部１２、及び規制外郭構築部１３を含んで構成されている。なお、第１実施形態では、色域外郭を求める対象となるカラー出力デバイスが、墨を含まない３次元以上のデバイス色空間、例えばＣＭＹ色空間のデバイス色信号に従ってカラー画像を出力するものである場合について説明する。
【００３５】
パラメータ設定部３は、対象とするカラー出力デバイスでカラー画像を形成するために使用することが可能な色材の総量の最大値である色材総量制限値及び各色のデバイス色信号の色材の最大値である単色制限値を設定する。この色材総量制限値及び単色制限値の設定方法として、例えば、ユーザにユーザインタフェースを通じて色材総量制限値及び単色制限値を指定させてもよいし、カラー出力デバイスの種類ごとまたはカラー出力デバイスの持つ出力モードごとに固有の色材総量制限値及び単色制限値を予め決めておき、利用するカラー出力デバイスの種類や出力モードに応じて適切な色材総量制限値及び単色制限値を設定するようにしてもよい。もちろん、固定値として予め与えておいてもよい。
【００３６】
デバイス外郭構築部１は、対象となるカラー出力デバイスのデバイス色空間における色域外郭を作成する。ここで、例えば特開２００３−８９１２号公報（以下、参考文献１）、特開２００５−６３０９３号公報（以下、参考文献２）に記載されている通り、デバイス色空間における色材の総量が制限されていない場合、例えばＣＭＹ色空間やＲＧＢ色空間などの３次元の色空間においては、立方体あるいは直方体の表面として色域外郭が構築される。
【００３７】
ただし、本発明におけるデバイス外郭構築部１においては、墨を含まないカラー出力デバイスの色域外郭はパラメータ設定部３で設定された各色の単色制限値及び色材総量制限値の全てを越えないデバイス色信号による外郭点のみから構成するように構築されなければならない。より具体的には、各色材の単色量や各色材の総量が制限されない条件下における色域外郭を構成する外郭点の中で各色の単色制限値及び色材総量制限値の少なくとも一つを越える外郭点を削除することで、前述した墨を含まないカラー出力デバイスの色域外郭をパラメータ設定部３で設定された各色の単色制限値及び色材総量制限値を越えないデバイス色信号による外郭点のみから構成する。
【００３８】
なお、単色制限値が設定されている場合に、この単色制限値を越えたために削除すべき外郭点に隣接する外郭点の単色量がパラメータ設定部で設定された単色制限値未満である場合には、削除すべき外郭点を削除せずに単色制限値と等しくなるようにその外郭点のデバイス色信号を修正する。例えば、カラー出力デバイスがＣＭＹプリンタの場合において、ＣＭＹ色空間における色域の格子点間隔が１０％刻みの等間隔であり、Ｃ、Ｍの単色制限値が９０％、Ｙの単色制限値が８５％の場合であるとすると、（Ｃ，Ｍ，Ｙ）＝（０％，９０％，８０％）という点に隣接する点（Ｃ，Ｍ，Ｙ）＝（０％，９０％，９０％）ができるが、これはＹの単色制限値を越えてしまう。このため、この点をＹの単色制限値以下とするため、（Ｃ，Ｍ，Ｙ）＝（０％，９０％，８５％）へと変更し、単色制限値と等しい外郭点を設ける。
【００３９】
また、各色の単色制限値を満たすが、色材総量制限値を越えたために削除すべき外郭点に隣接する外郭点の色材総量がパラメータ設定部３で設定された色材総量制限値未満である場合には、削除すべき外郭点を削除せずに色材総量制限値と等しくなるようにその外郭点のデバイス色信号を修正する。これによって、色材総量制限値と等しい外郭点が設けられる。
【００４０】
デバイス外郭構築部１は、本実施形態では、上半外郭構築部１１、下半外郭構築部１２、及び規制外郭構築部１３を含んで構成されている。以下、上半外郭構築部１１、下半外郭構築部１２、規制外郭構築部１３について詳細に説明する。
【００４１】
上半外郭構築部１１は、対象となるカラー出力デバイスの色域外郭のうち、上半外郭を構築する。上半外郭は、デバイス色空間における１以上の色成分が０％となる色域外郭上の点である外郭点のうち、パラメータ設定部３で設定された各色の単色制限値及び色材総量制限値を満たすデバイス色信号による外郭点のみから構成される。例えばデバイス色空間がＣＭＹ色空間であれば、Ｃ，Ｍ，Ｙのいずれかの要素が０％である規則的に配列された外郭点のうち、パラメータ設定部３で設定された各色の単色制限値及び色材総量制限値を越えない外郭点により上半外郭が構築される。ここで、規則的に配列された外郭点とは、隣接している外郭点を容易に特定可能であるということであり、隣接する外郭点との間隔は不規則でもかまわない。ここでは説明を簡単にするために、均等間隔で配列された外郭点により上半外郭を構成することとする。また、以下で説明する下半外郭および規制外郭についても同様であり、間隔は不規則でもかまわないが、説明の都合上、均等間隔で配列された外郭点により構成するものとする。
【００４２】
上半外郭の構築は、デバイス色空間における１以上の色成分が０％となる色域外郭上の点である外郭点のうち、各色の単色制限値及び色材総量制限値の少なくとも一つを越えた外郭点は削除することにより求められる。このとき、単色制限値を越えたために削除すべき外郭点に隣接する外郭点がパラメータ設定部３で設定された単色制限値未満である場合には、削除すべき外郭点を削除せずにその単色制限値と等しくなるように、その削除対象の外郭点のデバイス色信号を修正して、修正後の外郭点を上半外郭に含める。
【００４３】
また、各色の単色制限値を満たしても、色材総量制限値を越えたために削除すべき外郭点に隣接する外郭点の色材総量がパラメータ設定部３で設定された色材総量制限値未満である場合には、削除すべき外郭点を削除せずに色材総量制限値と等しくなるように、その削除対象の外郭点のデバイス色信号を修正して、修正後の外郭点を上半外郭に含める。
【００４４】
下半外郭構築部１２は、対象となるカラー出力デバイスの色域外郭のうち、下半外郭を構築する。下半外郭は、パラメータ設定部３で設定された各色の単色制限値及び色材総量制限値を満たすデバイス色信号による外郭点のみから構成される。例えばデバイス色空間がＣＭＹ色空間であれば、Ｃ，Ｍ，Ｙのいずれかの要素がその単色制限値である規則的に配列された点のうち、パラメータ設定部３で設定された色材総量制限値を越えない点により下半外郭が構築される。
【００４５】
下半外郭の構築は、デバイス色空間における１以上の色成分がその単色制限値となる色域外郭上の点である外郭点のうち、各色の単色制限値及び色材総量制限値の少なくとも一つを越えた外郭点は削除することにより求められる。このとき、各色の単色制限値を越えたために削除すべき外郭点に隣接する外郭点がパラメータ設定部３で設定された単色制限値未満である場合には、削除すべき外郭点を削除せずに単色制限値と等しくなるように、その削除対象の外郭点のデバイス色信号を修正して、修正後の外郭点を下半外郭に含める。
【００４６】
また、各色の単色制限値を満たしても、色材総量制限値を越えたために削除すべき外郭点に隣接する外郭点の色材総量がパラメータ設定部３で設定された色材総量制限値未満である場合には、削除すべき外郭点を削除せずに色材総量制限値と等しくなるように、その削除対象の外郭点のデバイス色信号を修正して、修正後の外郭点を下半外郭に含める。
【００４７】
なお、パラメータ設定部３で設定された色材総量制限値によっては、下半外郭が存在しない場合もありうる。例えば、デバイス色空間がＣＭＹ色空間であり、色材総量制限値が最も小さい単色制限値未満の場合は、何れの色成分も単色制限値とならないため、下半外郭は存在しないことになる。
【００４８】
規制外郭構築部１３は、パラメータ設定部３で設定された各色の単色制限値及び色材総量制限値を満たす規則的に配列された外郭点からなる規制外郭を構築する。この規制外郭は、上半外郭及び下半外郭のうち、デバイス色信号が、パラメータ設定部３で設定された各色の単色制限値及び色材総量制限値を満たす外郭点のうち、デバイス色空間の暗部領域側、すなわち下半外郭側の最外郭の外郭点と連結され、上半外郭及び上半外郭とともにカラー出力デバイスの色域外郭を構成する。
【００４９】
なお、パラメータ設定部３で設定された色材総量制限値により規制外郭が存在しない場合もありうる。例えば、デバイス色空間がＣＭＹ色空間であり、カラー出力デバイスの色材総量制限値が３００％の場合、つまり、色材の総量に制限がないに等しい場合には、色材総量制限値と等しい外郭点はＣＭＹ＝（１００％，１００％，１００％）のみとなり外郭を構成できないため、規制外郭は存在しないことになる。
【００５０】
このように、デバイス外郭構築部１として上半外郭構築部１１、下半外郭構築部１２、規制外郭構築部１３を有し、それぞれ上半外郭、下半外郭、規制外郭を構築し、これらの外郭における同一の外郭点同士でこれらの外郭を連結することによって、対象とする墨を含まないカラー出力デバイスの色域外郭がデバイス色空間において構築される。
【００５１】
なお、上半外郭、下半外郭、および、規制外郭を連結する際に、単色制限値及び色材総量制限値や上半外郭構築部１１、下半外郭構築部１２、規制外郭構築部１３で各外郭を構築する際に使用した外郭点数（外郭点の間隔）によっては一致しない外郭点が発生する場合がある。この場合には、連結部分ですべての外郭点が一致するように外郭点を追加したり修正したりすればよい。
【００５２】
また、デバイス外郭構築部１において、上半外郭構築部１１による上半外郭の構築、下半外郭構築部１２による下半外郭の構築、規制外郭構築部１３による規制外郭の構築の順番は任意であるし、並行して行ってもよい。
【００５３】
色空間変換部２は、デバイス外郭構築部１で構築した対象の墨を含まないカラー出力デバイスのデバイス色空間における色域外郭を構成する外郭点に相当するデバイス色信号を、色域を構築したい所望の色空間における色信号へ変換する。本発明においては、変換先の色空間変換を限定しない。したがって、所望の色空間における色信号へ変換できる方法であれば、どのような方法を用いてもよい。例えば、色変換の定義式を用いてもよいし、ノイゲバウワのような物理モデルを使用してもよいし、回帰式やニューラルネットワークによるモデルを用いてもよい。
【００５４】
例えば、デバイス独立な色空間であるＣＩＥＬＡＢ色空間における色域を算出することとし、特開平１０−２６２１５７号公報（以下、参考文献３）に記載されている方法を使用して、デバイス外郭構築部１で構築したデバイス色空間における色域外郭を構成する外郭点に相当するデバイス色信号をＣＩＥＬＡＢ色信号へ変換する。
【００５５】
以下、具体例を用いながら各部の動作についてさらに説明してゆく。以下の説明では、カラー出力デバイスとして、Ｃ、Ｍ、Ｙの色材を用いてカラー画像を形成するＣＭＹプリンタの色域を算出するものとする。また、パラメータ設定部３において、各色の単色制限値が１００％（すなわち制限なし）、色材総量制限値として２５０％または１５０％が設定されたものとして、両者の場合について説明する。
【００５６】
デバイス外郭構築部１の上半外郭構築部１１では、デバイス色空間であるＣＭＹ色空間における上半外郭を構築する。図２は、本発明の第１の実施の形態において、各色の単色制限値が１００％、色材総量制限値が２５０％の場合の上半外郭の一例の説明図、図３は、各色の単色制限値が１００％、色材総量制限値が１５０％の場合の上半外郭の一例の説明図である。図２（Ａ）、図３（Ａ）は上半外郭の展開図、図２（Ｂ）、図３（Ｂ）は上半外郭の俯瞰図である。また、図中の黒丸は上半外郭を構成する外郭点である。規則的に配列された外郭点を隣接する外郭点と連結して三角形（図２、図３中の実線）を構成することによって、上半外郭を表すポリゴン群が作成される。なお、図２（Ａ）、図３（Ａ）に示した展開図において、水平に並ぶ外郭点は色材総量が等しくなる。この関係は、本明細書における他の展開図においても同様である。
【００５７】
ＣＭＹプリンタにおいて、それぞれの色成分であるＣ、Ｍ、Ｙはそれぞれ０〜１００％の値を取り得るので、デバイス色空間であるＣＭＹ色空間における色材総量制限値を考慮しない色域外郭は立方体の表面となる。そのうち、上半外郭は、原点及び各軸で接する３つの面で構成される。図２に示す例のように、色材総量制限値が２５０％の場合には、これらの面上の外郭点はすべて色材総量制限値を満たすので、上半外郭を構築する外郭点となる。
【００５８】
色材総量制限値が１５０％の場合には、原点及び各軸で接する３つの面のそれぞれについて、一部の外郭点で色材総量制限値を満たさなくなる。例えばＭ＝０％、Ｃ＝Ｙ＝１００％の外郭点はＣ＋Ｍ＋Ｙ＝２００％となり、色材総量制限値である１５０％を越えることになる。従って、図３に示すように、それぞれの面において一部が欠けた上半外郭が得られる。例えばＭ＝０％、Ｃ＝Ｙ＝１００％の外郭点はＣ＋Ｍ＋Ｙ＝２００％となり、色材総量制限値である１５０％を越えることになる。Ｍ＝０％であれば、Ｃ＋Ｙ≦１５０％を満たす面内の外郭点が上半外郭を構成する。別の見方をすれば、Ｃ＋Ｙ＝１５０％の直線で４５度に切断した形状となる（図３（Ｂ））。図３（Ａ）で説明すれば、Ｃ＋Ｙ＝１５０％の外郭点Ｇ１とＧ２を結ぶ水平線を含むより上方の外郭点により上半外郭の一部が構築されることになる。なお、Ｃ＝０％，Ｙ＝０％の場合も同様である。
【００５９】
下半外郭構築部１２では、デバイス色空間であるＣＭＹ色空間における下半外郭を構築する。図４は、本発明の第１の実施の形態において、色材総量制限値が２５０％の場合の下半外郭の一例の説明図、図５は、同じく１５０％の場合の下半外郭の一例の説明図である。図４（Ａ）、図５（Ａ）は下半外郭の展開図、図４（Ｂ）、図５（Ｂ）は下半外郭の俯瞰図である。また、図中の黒丸は下半外郭を構成する外郭点である。規則的に配列された外郭点を隣接する外郭点と連結して三角形（図４，図５中の実線）を構成することによって、下半外郭を表すポリゴン群が作成される。
【００６０】
上述のように、ＣＭＹプリンタにおいてＣＭＹ色空間における色材総量制限値を考慮しない色域外郭は立方体の表面となる。このうち、１以上の色成分が１００％となるのは、立方体の６面のうち、図２に示した３面を除く残りの３面である。色材総量制限値が２５０％の場合には、図４に示すようにこれらの面の一部が欠けた面が下半外郭となる。
【００６１】
また色材総量制限値が１５０％の場合には、３面の大半が色材総量制限値を満たさなくなり、図５に示すように、三角の部分のみが下半外郭となる。なお、図５（Ｂ）においては色材総量制限値を考慮しない色域外郭を点線によって示している。
【００６２】
規制外郭構築部１３では、デバイス色空間であるＣＭＹ色空間における規制外郭を構築する。図６は、本発明の第１の実施の形態において、色材総量制限値が２５０％の場合の規制外郭の一例の説明図、図７は、同じく１５０％の場合の規制外郭の一例の説明図である。図６（Ａ）、図７（Ａ）は規制外郭の展開図、図６（Ｂ）、図７（Ｂ）は規制外郭の俯瞰図である。また、図中の黒丸は規制外郭を構成する外郭点である。規則的に配列された外郭点を隣接する外郭点と連結して三角形（図６，図７中の実線）を構成することによって、規制外郭を表すポリゴン群が作成される。
【００６３】
規制外郭は、パラメータ設定部３で設定された色材総量制限値を満たす面であり、ＣＭＹ色空間においてはそれぞれの軸に対して−４５度の傾きを持った面（Ｃ＋Ｍ＋Ｙ＝色材総量制限値、という面）の一部である。この面と、色材総量制限値を考慮しない色域外郭である立方体の表面との交線で囲まれた部分が規制外郭となる。具体的には、色材総量制限値が２５０％の場合には図６に示すようになり、例えば図６（Ｂ）に示す規制外郭は図４（Ｂ）に示した下半外郭の欠けた部分を塞ぐような外郭面となる。同様に、色材総量制限値が１５０％の場合には図７に示すようになり、例えば図７（Ｂ）に示す規制外郭は図５（Ｂ）に示した下半外郭の欠けた部分及び図３（Ｂ）に示した上半外郭の欠けた部分を塞ぐような外郭面となる。
【００６４】
図８は、本発明の第１の実施の形態において、色材総量制限値が２５０％の場合に求めた上半外郭、下半外郭、規制外郭をまとめた色域外郭の一例における色域外郭の展開図、図９は、同じく俯瞰図である。また図１０は、本発明の第１の実施の形態において、色材総量制限値が１５０％の場合の色域外郭の一例における色域外郭の展開図、図１１は、同じく俯瞰図である。図中の黒丸は色域外郭を構成する外郭点であり、隣接する外郭点を連結して三角形（図８〜図１１中の実線）を構成することによって、色域外郭を表すポリゴン群が作成される。
【００６５】
上述のようにして構築した上半外郭、下半外郭、規制外郭について、エッジ部に存在する同一の外郭点でこれらの外郭を連結することによって、当該ＣＭＹプリンタの色材総量制限値を満たす色域外郭がデバイス色空間において構築される。一致しない外郭点については、外郭点を追加したり、あるいは外郭点を修正することにより対応すればよい。
【００６６】
色材総量制限値が２５０％の場合に構築された色域外郭を図８、図９に、また色材総量制限値が１５０％の場合に構築された色域外郭を図１０，図１１に、それぞれ示している。これらは、例えば図８、図９に示した色域外郭は、図２に示した上半外郭、図４に示した下半外郭、図６に示した規制外郭を連結したものである。同様に図１０，図１１に示した色域外郭は、図３に示した上半外郭、図５に示した下半外郭、図７に示した規制外郭を連結したものである。
【００６７】
このようにして求めた色域外郭を構成する外郭点について、色空間変換部２において任意の色空間の色信号へ変換する。例えばデバイス独立な色空間であるＣＩＥＬＡＢ色空間へ変換する。
【００６８】
（第２実施形態）
次に、本発明の第２実施形態について説明する。本実施形態では、色域外郭を求める対象となるカラー出力デバイスが、墨を含む４次元以上のデバイス色空間、例えばＣＭＹＫ色空間のデバイス色信号に従ってカラー画像を出力するものである場合について説明する。
【００６９】
図１２は、本発明の第２実施形態に係る色域外郭算出装置２０を示すブロック図である。なお、図１に示す色域外郭算出装置１０と同一部分には同一符号を付してその詳細な説明は省略する。
【００７０】
図１２に示すように、色域外郭算出装置２０は、デバイス外郭構築部４、色空間変換部２、及びパラメータ設定部５を含んで構成されている。
【００７１】
デバイス外郭構築部４は、上半外郭構築部２１、下半外郭構築部２２、中間外郭構築部２３、及び規制外郭構築部２４を含んで構成されている。
【００７２】
パラメータ設定部５は、墨を含む４次元以上のデバイス色空間のうち上半領域における色材総量の上半色材総量制限値、前記デバイス色空間のうち下半領域における色材総量の下半色材総量制限値、及び各色の単色制限値を設定する。上半色材総量制限値、下半色材総量制限値、及び各色の単色制限値の設定方法としては、例えば、ユーザにユーザインタフェースを通じて上半色材総量制限値、下半色材総量制限値、及び各色の単色制限値を指定させてもよいし、カラー出力デバイスの種類ごとまたはカラー出力デバイスの持つ出力モードごとに固有の上半色材総量制限値、下半色材総量制限値、及び各色の単色制限値を予め決めておき、利用するカラー出力デバイスの種類や出力モードに応じて適切な上半色材総量制限値、下半色材総量制限値、及び各色の単色制限値を設定するようにしてもよい。もちろん、固定値として予め与えておいてもよい。
【００７３】
デバイス外郭構築部４は、対象となるカラー出力デバイスのデバイス色空間における色域外郭を作成する。ここで、特許文献５に記載されている通り、デバイス色空間における色材の総量が制限されていない色域外郭は容易に構築される。図１３は、ＣＭＹＫ色空間における色域外郭の一例の説明図である。例えば墨（Ｋ）を含む４次元の色空間であるＣＭＹＫ色空間における色域外郭は、図１３に示すように、１２面の多面体となる。なお、図示の都合上、図１３においてはＣＭＹＫの少なくとも１つが０％である３面を図１３（Ａ）に示し、それ以外の９面を図１３（Ｂ）に示している。
【００７４】
ただし、本発明におけるデバイス外郭構築部４においては、墨を含むカラー出力デバイスの色域外郭はパラメータ設定部５で設定された各色の単色制限値及び色材総量制限値を越えないデバイス色信号による外郭点のみから構成するように構築されなければならない。より具体的には、色材の総量が制限されない条件下における色域外郭のうち、上半外郭（図１３（Ａ）に示す３面）については、これらの外郭を構成する外郭点の中で各色の単色制限値及び上半色材総量制限値の少なくとも一つを越える外郭点を削除する。また、下半外郭（図１３（Ｂ）においてハッチングを施していない３面）については、これらの外郭を構成する外郭点の中で各色の単色制限値及び下半色材総量制限値の少なくとも一つを越える外郭点を削除する。
【００７５】
また、中間外郭（図１３（Ｂ）においてハッチングを施した６面）については、パラメータ設定部５で設定された上半色材総量制限値及び下半色材総量制限値に基づいて、デバイス色空間のうち上半領域と下半領域との間の中間領域における色材総量の中間色材総量制限値を求め、中間外郭を構成する外郭点の中で各色の単色制限値及び中間色材総量制限値の少なくとも一つを越える外郭点を削除する。
【００７６】
さらに、上半外郭、前記中間外郭、及び下半外郭のうち、デバイス色信号が上半色材総量制限値、中間色材総量制限値、及び下半色材総量制限値を満たす外郭点のうち暗部領域側、すなわち下半外郭側の最外郭の外郭点と連結され、各色の単色制限値、上半色材総量制限値、中間色材総量制限値、及び下半色材総量制限値を満たす外郭点からなる規制外郭を構築する。これにより、墨を含むカラー出力デバイスの色域外郭をパラメータ設定部５で設定された各色の単色制限値及び各色材総量制限値を越えないデバイス色信号による外郭点のみから構成される。
【００７７】
この第２実施形態では、デバイス外郭構築部４は、上半外郭構築部２１、下半外郭構築部２２、中間外郭構築部２３、規制外郭構築部２４とからなる。以下、上半外郭構築部２１、下半外郭構築部２２、中間外郭構築部２３、規制外郭構築部２４について詳細に説明する。
【００７８】
上半外郭構築部２１は、対象となるカラー出力デバイスの色域外郭のうち、上半外郭を構築する。上半外郭は、墨を含む４次以上のデバイス色空間におけるＫ＝０％で、かつ、他の１以上の色成分が０％となる色域外郭上の点である外郭点のうち、パラメータ設定部５で設定された上半色材総量制限値及び各色の単色制限値を満たすデバイス色信号による外郭点のみから構成される。例えばデバイス色空間がＣＭＹＫ色空間であれば、Ｋ＝０％かつＣ，Ｍ，Ｙのいずれかの要素が０％である規則的に配列された外郭点のうち、パラメータ設定部５で設定された各色の単色制限値及び上半色材総量制限値を越えない外郭点により上半外郭が構築される。ここで、規則的に配列された外郭点とは隣接している外郭点を容易に特定可能であるということであり、隣接する外郭点との間隔は不規則でもかまわない。ここでは説明を簡単にするために、均等間隔で配列された外郭点により上半外郭を構成することとする。また、以下で説明する下半外郭、中間外郭および規制外郭についても同様であり、間隔は不規則でもかまわないが、説明の都合上、均等間隔で配列された外郭点により構成するものとする。
【００７９】
上半外郭の構築は、デバイス色空間において、Ｋ＝０％かつ他の１以上の色成分が０％となる色域外郭上の点である外郭点のうち、各色の単色制限値及び上半色材総量制限値の少なくとも一つを越えた外郭点は削除することにより求められる。このとき、単色制限値を越えたために削除すべき外郭点に隣接する外郭点がパラメータ設定部５で設定された単色制限値未満である場合には、削除すべき外郭点を削除せずに単色制限値と等しくなるようにその外郭点のデバイス色信号を修正する。これによって、単色制限値と等しい外郭点が設けられる。
【００８０】
また、各色の単色制限値を満たすが、上半色材総量制限値を越えたために削除すべき外郭点に隣接する外郭点の色材総量がパラメータ設定部５で設定された上半色材総量制限値未満である場合には、削除すべき外郭点を削除せずに上半色材総量制限値と等しくなるようにその外郭点のデバイス色信号を修正して、修正後の外郭点を上半外郭に含める。
【００８１】
下半外郭構築部２２は、対象となるカラー出力デバイスの色域外郭のうち、下半外郭を構築する。下半外郭は、墨を含む４次元以上のデバイス色空間において、Ｋ＝Ｋの単色制限値、かつ、他の１以上の色成分がその色成分の単色制限値となる色域外郭上の点である外郭点のうち、パラメータ設定部５で設定された下半色材総量制限値を満たすデバイス色信号による外郭点のみから構成される。例えばデバイス色空間がＣＭＹＫ色空間で各色の単色制限値がすべて１００％であれば、Ｋ＝１００％かつＣ，Ｍ，Ｙのいずれかの要素が１００％である規則的に配列された外郭点のうち、パラメータ設定部５で設定された各色の単色制限値及び下半色材総量制限値を越えない外郭点により下半外郭が構築される。
【００８２】
下半外郭の構築は、デバイス色空間において、Ｋ＝Ｋの単色制限値かつ他の１以上の色成分がその色成分の単色制限値となる色域外郭上の点である外郭点のうち、各色の単色制限値及び下半色材総量制限値の少なくとも一つを越えた外郭点は削除することにより求められる。
【００８３】
このとき、単色制限値を越えたために削除すべき外郭点に隣接する外郭点がパラメータ設定部５で設定された単色制限値未満である場合には、削除すべき外郭点を削除せずに単色制限値と等しくなるようにその外郭点のデバイス色信号を修正する。これによって、単色制限値と等しい外郭点が設けられる。
【００８４】
また、各色の単色制限値を満たすが、下半色材総量制限値を越えたために削除すべき外郭点に隣接する外郭点の色材総量がパラメータ設定部５で設定された下半色材総量制限値未満である場合には、削除すべき外郭点を削除せずに下半色材総量制限値と等しくなるように、その削除対象の外郭点のデバイス色信号を修正して、修正後の外郭点を下半外郭に含める。
【００８５】
なお、パラメータ設定部５で設定された単色制限値及び上半色材総量制限値によっては、下半外郭が存在しない場合もありうる。例えば、デバイス色空間がＣＭＹＫ色空間であり、カラー出力デバイスの単色制限値がすべて１００％で且つ上半色材総量制限値が１９０％の場合には、Ｃ，Ｍ，Ｙいずれかが１００％、且つ、Ｋ＝１００％とはなり得ないので、下半外郭の外郭点はすべて上半色材総量制限値を満たさず、下半外郭は存在しないことになる。
【００８６】
中間外郭構築部２３は、対象となるカラー出力デバイスの色域外郭のうち、中間外郭を構築する。中間外郭は、墨を除く１以上の色成分がその色成分の単色制限値、かつ、墨を除く１以上の色成分が０％である色域外郭上の点である外郭点（図１３（Ｂ）においてハッチングを施した面上のデバイス色信号）のうち、パラメータ設定部５で設定された上半色材総量制限値及び下半色材総量制限値に基づいて、デバイス色空間のうち上半領域と下半領域との間の中間領域における色材総量の中間色材総量制限値を墨量に応じて求める。
【００８７】
中間色材総量制限値は、例えば、図１４に示すように、上半色材総量制限値と下半色材総量制限値との間を墨の値が大きくなるに従って小さくなるように設定される。換言すれば、墨の値が小さくなるほど、すなわちデバイス色信号が色域の上半側へ行くほど中間色材総量制限値が上半色材総量制限値に近づき、墨の値が大きくなるほど、すなわちデバイス色信号が色域の下半側へ行くほど中間色材総量制限値が下半色材総量制限値に近づくように、中間色材総量制限値が設定される。図１４に示すように、上半色材総量制限値は下半色材総量制限値よりも大きいことが好ましい。
【００８８】
このように、中間外郭構築部２３では、墨量に応じて上半総量制限値と下半総量制限値から中間色材総量制限値を求める。なお、墨（Ｋ）に単色制限値が設定されている場合は、図１４に示すＫの最大値は、Ｋの単色制限値である。なお、図１４に示すように、Ｋの値に応じて上半総量制限値から下半総量制限値まで線形に変化させても良いし、図１５に示すように非線形に変化させても良い。
【００８９】
そして、中間外郭構築部２３は、デバイス色空間における墨以外の１以上の色成分がその色成分の単色制限値で且つ墨以外の１以上の色成分が０％となる色域外郭上の外郭点のうち各色の単色制限値及び中間色材総量制限値を満たす外郭点のみから構成される。例えばデバイス色空間がＣＭＹＫ色空間であれば、Ｃ，Ｍ，Ｙのいずれかの要素がその色成分の単色制限値かつＣ，Ｍ，Ｙのいずれかの要素が０％である規則的に配列された外郭点のうち、パラメータ設定部５で設定された各色の単色制限値及び中間色材総量制限値を越えない外郭点により中間外郭が構築される。
【００９０】
中間外郭の構築は、デバイス色空間において、Ｋ以外の色成分がその色成分の単色制限値かつ他の１以上の色成分が０％となる色域外郭上の点である外郭点のうち、各色の単色制限値及び下半色材総量制限値の少なくとも一つを越えた外郭点は削除することにより求められる。
【００９１】
このとき、単色制限値を越えたために削除すべき外郭点に隣接する外郭点がパラメータ設定部５で設定された単色制限値未満である場合には、削除すべき外郭点を削除せずに単色制限値と等しくなるようにその外郭点のデバイス色信号を修正する。これによって、単色制限値と等しい外郭点が設けられる。
【００９２】
また、各色の単色制限値を満たすが、中間色材総量制限値を越えたために削除すべき外郭点に隣接する外郭点の色材総量がパラメータ設定部５で設定された中間色材総量制限値未満である場合には、削除すべき外郭点を削除せずに中間色材総量制限値と等しくなるように、その削除対象の外郭点のデバイス色信号を修正して、修正後の外郭点を中間外郭に含める。
【００９３】
なお、この中間外郭も色材総量制限値設定部３で設定されたＫの単色制限値によっては存在しない場合もありうる。すなわち、Ｋの単色制限値が０％の場合は中間外郭は存在しない。
【００９４】
ところで、通常、中間色材総量制限値を越える外郭点については、Ｋ及び０％以外の色成分からそれぞれ等量だけさし引くことにより外郭点を修正して色材総量を制限するが、上半色材総量制限値が隣り合う２色（ＣとＭ、ＭとＹ、ＹとＣ）の単色制限値の和よりも小さいときに、中間外郭が上半外郭と接する部分となるＫ＝０％の点に対して、前述の方法、すなわちＫ及び０％以外の色成分からそれぞれ等量だけさし引くことにより外郭点を修正することにより色材総量を制限しようとした場合、上半外郭と中間外郭との接合部分における外郭点の数に不整合が生じてしまう。
【００９５】
例えば、各色の単色制限値が１００％の場合、すなわち制限がない場合に、上半色材総量制限値が隣り合う２色（ＣとＭ、ＭとＹ、ＹとＣ）の単色制限値の和、すなわち２００％以上の場合は、総量制限ラインは図１６においてＢ（ブルー）より下側に位置するため、上半外郭６０は切り取られず正方形の形状を維持し、中間外郭６２との接合部分はそのままの形状である。
【００９６】
これに対し、上半色材総量制限値が２００％以上の場合は、総量制限ラインは図１６においてＢより上側に位置するため、図１７に示すように、上半外郭６０は総量制限ライン６４で切り取られた形状となる。そして、前述の方法で中間外郭の外郭点を修正すると、上半外郭と中間外郭との接合面における外郭点の数に不整合が生じる。図１７の例では、上半外郭６０の総量制限ライン６４上の外郭点は４個であるのに対し、中間外郭６２の上半外郭との接合ライン６６上の外郭点は７個となっている。
【００９７】
これは、通常は、上半外郭を構築する場合において色材総量を越えた外郭点については削減するのに対して、中間外郭を構築する場合において色材総量を越えた外郭点については、削除するのではなくＣＭＹＫ値を圧縮し、全ての外郭点を保存するためである。
【００９８】
従って、上記のように上半外郭と中間外郭との接合ラインにおいて不整合が生じないようにするためには、上半外郭と中間外郭との接合ライン上にある全ての外郭点を共有する必要がある。
【００９９】
そこで、中間外郭構築部２３では、図１８に示すように、上半外郭６０の上半色材総量制限値に応じた総量制限ライン６４上の外郭点を特定し（図１８では４個の外郭点が特定される）、この特定された外郭点に、中間外郭６２の総量制限ライン６４に対応する位置の外郭点が一致するように当該外郭点を修正、削除する。図１８の例では、中間外郭６２の総量制限ライン６４に対応する位置の外郭点が７個存在するので、例えば図中実線の矢印で示すように、中間外郭６２の総量制限ライン６４に対応する位置の７個の外郭点のうち、３個の外郭点を、これらに隣接する外郭点と同じ値になるように修正する。
【０１００】
規制外郭構築部２４は、各色の単色制限値、上半色材総量制限値、中間色材総量制限値、及び下半色材総量制限値を満たす外郭点からなる規制外郭を構築する。この規制外郭は、上半外郭、中間外郭、及び下半外郭のうち、デバイス色信号が各色の単色制限値、上半色材総量制限値、中間色材総量制限値、及び下半色材総量制限値を満たす外郭点のうち最外郭の外郭点と連結され、上半外郭、中間外郭、下半外郭とともにカラー出力デバイスの色域外郭を構成することになる。
【０１０１】
なお、パラメータ設定部５で設定された下半色材総量制限値により規制外郭が存在しない場合もありうる。例えば、デバイス色空間がＣＭＹＫ色空間であり、カラー出力デバイスの下半色材総量制限値が４００％の場合、つまり、色材の総量に制限がないに等しい場合には、下半色材総量制限値と等しい外郭点はＣＭＹＫ＝（１００％，１００％，１００％，１００％）のみとなり外郭を構成できないため、規制外郭は存在しないことになる。
【０１０２】
このように、デバイス外郭構築部４として上半外郭構築部２１、下半外郭構築部２２、中間外郭構築部２３，規制外郭構築部２４を有し、それぞれ上半外郭、下半外郭、中間外郭、規制外郭を構築し、これらの外郭における同一の外郭点同士でこれらの外郭を連結することによって、対象とする墨を含むカラー出力デバイスの色域外郭がデバイス色空間において構築される。
【０１０３】
なお、上半外郭、下半外郭、中間外郭、および、規制外郭を連結する際に、色材総量制限値や上半外郭構築部２１、下半外郭構築部２２、中間外郭構築部２３、規制外郭構築部２４で各外郭を構築する際に使用した外郭点数（外郭点の間隔）によっては一致しない外郭点が発生する場合がある。この場合には、連結部分ですべての外郭点が一致するように外郭点を追加したり修正したりすればよい。
【０１０４】
また、デバイス外郭構築部１において、上半外郭構築部１１による上半外郭の構築、下半外郭構築部１２による下半外郭の構築、規制外郭構築部１３による規制外郭の構築の順番は任意であるし、並行して行ってもよい。
【０１０５】
色空間変換部２は、上述のようにしてデバイス外郭構築部４で構築した対象の墨を含むカラー出力デバイスのデバイス色空間における色域外郭を構成する外郭点に相当するデバイス色信号を、色域を構築したい所望の色空間における色信号へ変換する。本発明においては、変換先の色空間変換を限定しない。したがって、所望の色空間における色信号へ変換できる方法であれば、どのような方法を用いてもよい。例えば、色変換の定義式を用いてもよいし、ノイゲバウワのような物理モデルを使用してもよいし、回帰式やニューラルネットワークによるモデルを用いてもよい。
【０１０６】
例えば、デバイス独立な色空間であるＣＩＥＬＡＢ色空間における色域を算出することとし、参考文献３に記載されている方法を使用して、デバイス外郭構築部４で構築したデバイス色空間における色域外郭を構成する外郭点に相当するデバイス色信号がＣＩＥＬＡＢ色信号へ変換される。
【０１０７】
以下、具体例を用いながら各部の動作についてさらに説明してゆく。以下の説明では、カラー出力デバイスとして、Ｃ、Ｍ、Ｙ、Ｋの色材を用いてカラー画像を形成するＣＭＹＫプリンタの色域を算出するものとする。また、パラメータ設定部５において、各色の単色制限値が１００％（すなわち制限なし）、上半色材総量制限値として２５０％または１５０％が設定されたものとして、両者の場合について説明する。また、上半色材総量制限値が２５０％の場合における下半色材総量制限値については、説明を簡単にするために上半色材総量制限値と同じ２５０％が設定された場合について説明する。この場合、中間色材総量制限値もＫの値にかかわらず２５０％となる。また、上半色材総量制限値が１５０％の場合における中間色材総量制限値についても、説明を簡単にするために上半色材総量制限値と同じ１５０％とした場合について説明する。なお、上半色材総量制限値が１５０％の場合は、前述したように下半外郭は構築されない。
【０１０８】
デバイス外郭構築部４の上半外郭構築部２１では、墨を含むデバイス色空間であるＣＭＹＫ色空間における上半外郭を構築する。図１９は、本発明の第２実施形態において、上半色材総量制限値が２５０％の場合の上半外郭の一例の説明図、図２０は、同じく１５０％の場合の上半外郭の一例の説明図である。図１９（Ａ）、図２０（Ａ）は上半外郭の展開図、図１９（Ｂ）、図２０（Ｂ）は展開図に示した各頂点とデバイス色信号の対応表である。また、図中の黒丸は上半外郭を構成する外郭点である。規則的に配列された外郭点を隣接する外郭点と連結して三角形（図１９、図２０中の実線）を構成することによって、上半外郭を表すポリゴン群が作成される。
【０１０９】
ＣＭＹＫプリンタにおいて、デバイス色空間であるＣＭＹＫ色空間における上半色材総量制限値を考慮しない上半外郭は、図１３（Ａ）に示す３面で構成される。上半色材総量制限値が２５０％の場合には、これらの面上の外郭点はすべて上半色材総量制限値を満たすので、上半外郭を構築する外郭点となる（図１９）。
【０１１０】
上半色材総量制限値が１５０％の場合には、原点及び各軸で接する３つの面のそれぞれについて、一部の外郭点で上半色材総量制限値を満たさなくなる。例えばＭ＝Ｋ＝０％、Ｃ＝Ｙ＝１００％の外郭点はＣ＋Ｍ＋Ｙ＋Ｋ＝２００％となり、上半色材総量制限値である１５０％を越えることになる。Ｍ＝Ｋ＝０％であれば、Ｃ＋Ｙ≦１５０％を満たす面内の外郭点が上半外郭を構成する。図２０（Ａ）に示した展開図で説明すれば、Ｃ＋Ｙ＝１５０％の外郭点Ｇ１とＧ２を結ぶ水平線を含むより上方の外郭点により上半外郭の一部が構築されることになる。なお、Ｃ＝Ｋ＝０％，Ｙ＝Ｋ＝０％の場合も同様である。
【０１１１】
下半外郭構築部２２では、墨を含むデバイス色空間であるＣＭＹＫ色空間における下半外郭を構築する。図２１は、本発明の第２実施形態において、下半色材総量制限値が２５０％の場合の下半外郭の一例の説明図である。図２１（Ａ）は下半外郭の展開図、図２１（Ｂ）は展開図に示した各頂点とデバイス色信号の対応表である。また、図中の黒丸は下半外郭を構成する外郭点である。規則的に配列された外郭点を隣接する外郭点と連結して三角形（図２１中の実線）を構成することによって、下半外郭を表すポリゴン群が作成される。
【０１１２】
ＣＭＹＫプリンタにおいて、デバイス色空間であるＣＭＹＫ色空間における下半色材総量制限値を考慮しない下半外郭は、図１３（Ｂ）においてハッチングを施していない３面で構成される。下半色材総量制限値が２５０％の場合には、図２１に示すようにこれらの面の一部が欠けた面が下半外郭となる。例えばＣ＝Ｋ＝１００％であれば、Ｙ＋Ｍ≦５０％（＝２５０−２００）を満たす面内の外郭点が下半外郭を構成する。図２１（Ａ）に示した展開図で説明すれば、Ｙ＋Ｍ＝５０％の外郭点ＧＫ２とＢＫ１を結ぶ水平線を含むより上方の外郭点により下半外郭の一部が構築されることになる。なお、Ｍ＝Ｋ＝１００％，Ｙ＝Ｋ＝１００％の場合も同様である。
【０１１３】
上半色材総量制限値が１５０％の場合には、下半外郭を構成する外郭点はすべて削除されるため、下半外郭は存在しない。すなわち、下半外郭はＫ及び他の１色が１００％となる外郭点から構成されるので、色材総量が２００％以上である。従って、上半色材総量制限値が１５０％の場合には、下半外郭を構成する外郭点はすべて、この上半色材総量制限値を満たさず、よって下半外郭は存在しなくなる。
【０１１４】
中間外郭構築部２３では、墨を含むデバイス色空間であるＣＭＹＫ色空間における中間外郭を構築する。図２２は、本発明の第２実施形態において、中間色材総量制限値が２５０％の場合の中間外郭の一例の説明図である。図２２（Ａ）は中間外郭の展開図、図２２（Ｂ）は展開図に示した各頂点とデバイス色信号の対応表である。また、図中の黒丸はそのまま中間外郭を構成する外郭点、黒の四角は修正を行って中間外郭とする外郭点である。規則的に配列された外郭点を隣接する外郭点と連結して三角形（図２１中の実線）を構成することによって、中間外郭を表すポリゴン群が作成される。
【０１１５】
ここで、黒四角で示した外郭点は、そのままでは中間色材総量制限値２５０％を越えているため、これらの外郭点に相当するＣＭＹＫデバイス色信号を中間色材総量制限値２５０％と等しくなるように修正しなければならない。この修正方法としては、墨（Ｋ）の色材量を固定して他の色材を等量ずつ減じることにより、色材総量制限値と等しいデバイス色信号に修正する。
【０１１６】
例えば、固定した色材量をＫとし、デバイス色空間の色域外郭点を（Ｃ，Ｍ，０，Ｋ）とし、中間色材総量制限値Ｌを課したデバイスの色域外郭点を（Ｃ’，Ｍ’，Ｙ’，Ｋ）とするとき、Ｃ’，Ｍ’，Ｙ’は
Ｃ’＝Ｃ−（Ｃ＋Ｍ＋Ｙ＋Ｋ−Ｌ）／２
Ｍ’＝Ｍ−（Ｃ＋Ｍ＋Ｙ＋Ｋ−Ｌ）／２
Ｙ’＝０
により得られる。ここで、Ｃ≠０，Ｍ≠０とする。
【０１１７】
また、固定した色材量をＫとし、デバイスの色域外郭点を（Ｃ，０，０，Ｋ）、中間色材総量制限値Ｌを課したデバイス色空間の色域外郭点を（Ｃ’，Ｍ’，Ｙ’，Ｋ）とするとき、Ｃ’，Ｍ’，Ｙ’は
Ｃ’＝Ｌ−Ｋ
Ｍ’＝０
Ｙ’＝０
により得られる。ここで、Ｃ≠０とする。
【０１１８】
この計算例として、図２２に示した外郭点のうち、中間色材総量制限値を越えている外郭点の１つであるデバイス色信号ＢＫ１００＝（１００％，１００％，０％，１００％）を修正すると、ＢＫ１００’＝（７５％，７５％，０％，１００％）となる。
【０１１９】
また、参考文献２に記載されているように、１色の色材量を固定し、他の色材量の構成比を一定にして設定された色材総量制限値に合わせるようにしてもよい。しかしこの場合には、規制外郭との接合時に対応する外郭点を容易に決定することができなくなることに注意しなければならない。
【０１２０】
図２３は、本発明の第２実施形態において、中間色材総量制限値が１５０％の場合の修正前の中間外郭の一例の説明図、図２４は、同じく修正後の中間外郭の一例の説明図である。図２３（Ａ）、図２４（Ａ）は中間外郭の展開図、図２３（Ｂ）、図２４（Ｂ）は展開図に示した各頂点とデバイス色信号の対応表である。また、図中の黒丸、黒四角は図２２と同様である。この場合も規則的に配列された外郭点を隣接する外郭点と連結して三角形（図２３、図２４中の実線）を構成することによって、中間外郭を表すポリゴン群が作成される。
【０１２１】
ここで、黒四角で示した外郭点は中間色材総量制限値１５０％を越えており、これらの外郭点に相当するＣＭＹＫデバイス色信号を中間色材総量制限値１５０％と等しくなるように修正しなければならない。この修正方法は、前述したように墨（Ｋ）を固定して他の色材を等量減じることにより、設定された中間色材総量制限値に修正する。この計算例として、図２３に示した外郭点のうち、中間色材総量制限値を越えている外郭点の１つであるデバイス色信号ＢＫ１＝（１００％，５０％，０％，１００％）を修正すると、ＢＫ１’＝（５０％，０％，０％，１００％）となる。
【０１２２】
なお、中間色材総量制限値が２００％未満の場合は、中間外郭上の外郭点に相当するデバイス色信号の一部の要素が、修正により負となる場合がある。この際には、負となった要素を０に変更し、固定したＫを除く正の要素（これはただ一つのはず）を修正することで、中間色材総量制限値と等しくなるように修正を施せばよい。例えば、中間色材総量制限値１５０％の条件下でＣＭＹＫ＝（１００％，２０％，０％，１００％）を前述の式に沿って計算すると、Ｃ’Ｍ’Ｙ’Ｋ＝（６５％，−１５％，０％，１００％）となる。要素Ｍ’が負となっているため、前述の説明の通りさらに修正するとＣ”Ｍ”Ｙ”Ｋ＝（５０％，０％，０％，１００％）となる。このような場合には、修正後に中間外郭を構成する外郭点に同一のデバイス色信号が現れるため、隣接する外郭点同士でポリゴンを作成する際に重複する外郭点を削除する必要がある。
【０１２３】
このように、中間色材総量値が１５０％の場合には、中間色材総量制限値を越えた外郭点について修正を行い、有効なポリゴンを構成しない外郭点を削除することによって、図２４に展開図を示すような中間外郭が得られる。なお、図２４において黒四角で示した外郭点は、上下に示していてもすべて中間色材総量制限値と等しい外郭点である。
【０１２４】
規制外郭構築部２４では、黒を含むデバイス色空間であるＣＭＹＫ色空間における規制外郭を構築する。図２５は、本発明の第２実施形態において、上半色材総量制限値が２５０％の場合の規制外郭の一例の説明図、図２６は、同じく１５０％の場合の規制外郭の一例の説明図である。図２５（Ａ）、図２６（Ａ）は規制外郭の展開図、図２５（Ｂ）、図２６（Ｂ）は展開図に示した各頂点とデバイス色信号の対応表である。また、図中の黒丸は規制外郭を構成する外郭点である。規則的に配列された外郭点を隣接する外郭点と連結して三角形（図２５，図２６中の実線）を構成することによって、規制外郭を表すポリゴン群が作成される。
【０１２５】
規制外郭は、例えばパラメータ設定部５で設定された上半色材総量制限値（中間色材総量制限値）と等しい面であり、この場合、ＣＭＹＫ色空間においてはＫ＝１００％、Ｃ＋Ｍ＋Ｙ＝上半色材総量制限値（中間色材総量制限値）−Ｋという面である。具体的には、上半色材総量制限値（中間色材総量制限値）が２５０％の場合には図２５に示すようになり、外周の一部が図２１（Ａ）に示した下半外郭の下部に連結し、また外周の他の部分が図２２（Ａ）に示した中間外郭に連結される外郭面となる。このとき、図２２（Ａ）に示した中間外郭の規制外郭との連結部分では、上述のように中間色材総量制限値を越えた外郭点を中間色材総量制限値と等しくなるように修正している。そのため、連結する外郭点が多くなっており、規制外郭においては中間外郭の外郭点のそれぞれに対応するように、六角形上のうち３つの辺上にそれぞれ３つずつ外郭点を増やしている。
【０１２６】
同様に、上半色材総量制限値（中間色材総量制限値）が１５０％の場合には図２６に示すようになり、例えば図２６（Ａ）に示す規制外郭は図２４（Ａ）に示した修正後の中間外郭の下部に連結される。
【０１２７】
このようにして求めた上半外郭、下半外郭、中間外郭、規制外郭によって構成される色域外郭上の外郭点について、色空間変換部２において任意の色空間の色信号へ変換する。例えばデバイス独立な色空間であるＣＩＥＬＡＢ色空間へ変換する。これによって、任意の色空間において、ＣＭＹＫプリンタの色域外郭が求められる。
【０１２８】
なお、上述の第１，第２実施形態における具体例では、簡単のためＣＭＹ色空間のカラー出力デバイスおよびＣＭＹＫ色空間のカラー出力デバイスを取り上げて説明したが、墨を含まない４次元以上の出力デバイスや墨を含む５次元以上の出力デバイスにおいても同様に本発明を適用することができる。
【０１２９】
図２７は、本発明の色域外郭算出装置の機能または色域外郭算出方法をコンピュータプログラムで実現した場合におけるコンピュータプログラムおよびそのコンピュータプログラムを格納した記憶媒体の一例の説明図である。図中、３１はプログラム、３２はコンピュータ、４１は光磁気ディスク、４２は光ディスク、４３は磁気ディスク、４４はメモリ、５１は光磁気ディスク装置、５２は光ディスク装置、５３は磁気ディスク装置である。
【０１３０】
上述の第１，第２実施形態として説明した構成の一部または全部は、コンピュータにより実行可能なプログラム３１によって実現される。このようにプログラム３１で実現される場合、そのプログラム３１およびそのプログラムが用いるデータなどは、コンピュータが読み取り可能な記憶媒体に記憶される。記憶媒体とは、コンピュータのハードウェア資源に備えられている読取装置に対して、プログラムの記述内容に応じて、磁気、光、電気等のエネルギーの変化状態を引き起こして、それに対応する信号の形式で、読取装置にプログラムの記述内容を伝達するものである。例えば、光磁気ディスク４１，光ディスク４２（ＣＤ（コンパクトディスク）やＤＶＤ（デジタルバーサタイルディスク）などを含む）、磁気ディスク４３，メモリ４４（ＩＣカード、メモリカードなどを含む）等である。もちろんこれらの記憶媒体は、可搬型に限られるものではない。
【０１３１】
これらの記憶媒体にプログラム３１を格納しておき、例えばコンピュータ３２の光磁気ディスク装置５１，光ディスク装置５２，磁気ディスク装置５３，あるいは図示しないメモリスロットにこれらの記憶媒体を装着することによって、コンピュータからプログラム３１を読み出し、本発明の色域外郭算出装置の機能または色域外郭算出方法が実行され。あるいは、あらかじめ記憶媒体をコンピュータ３２に装着または内蔵しておき、例えばネットワークなどを介してプログラム３１をコンピュータ３２に転送し、記憶媒体にプログラム３１を格納して実行させてもよい。もちろん、一部の機能についてハードウェアによって構成してもよいし、あるいは、すべてをハードウェアで構成してもよい。
【図面の簡単な説明】
【０１３２】
【図１】本発明の第１の実施の形態を示すブロック図である。
【図２】本発明の第１の実施の形態において、色材総量制限値が２５０％の場合の上半外郭の一例の説明図である。
【図３】本発明の第１の実施の形態において、色材総量制限値が１５０％の場合の上半外郭の一例の説明図である。
【図４】本発明の第１の実施の形態において、色材総量制限値が２５０％の場合の下半外郭の一例の説明図である。
【図５】本発明の第１の実施の形態において、色材総量制限値が１５０％の場合の下半外郭の一例の説明図である。
【図６】本発明の第１の実施の形態において、色材総量制限値が２５０％の場合の規制外郭の一例の説明図である。
【図７】本発明の第１の実施の形態において、色材総量制限値が１５０％の場合の規制外郭の一例の説明図である。
【図８】本発明の第１の実施の形態において、色材総量制限値が２５０％の場合に求めた上半外郭、下半外郭、規制外郭をまとめた色域外郭の一例における色域外郭の展開図である。
【図９】本発明の第１の実施の形態において、色材総量制限値が２５０％の場合に求めた上半外郭、下半外郭、規制外郭をまとめた色域外郭の一例における色域外郭の俯瞰図である。
【図１０】本発明の第１の実施の形態において、色材総量制限値が１５０％の場合に求めた上半外郭、下半外郭、規制外郭をまとめた色域外郭の一例における色域外郭の展開図である。
【図１１】本発明の第１の実施の形態において、色材総量制限値が１５０％の場合に求めた上半外郭、下半外郭、規制外郭をまとめた色域外郭の一例における色域外郭の俯瞰図である。
【図１２】本発明の第２の実施の形態を示すブロック図である。
【図１３】ＣＭＹＫ色空間における色域外郭の一例の説明図である。
【図１４】中間色材総量制限値を求める際の墨量と中間色材総量制限値との関係を示す線図である。
【図１５】中間色材総量制限値を求める際の墨量と中間色材総量制限値との関係の他の例を示す線図である。
【図１６】上半色材総量制限値が２００％以上の場合における上半外郭と中間外郭の展開図である。
【図１７】上半色材総量制限値が２００％未満の場合における上半外郭と中間外郭の展開図である。
【図１８】上半色材総量制限値が２００％未満の場合における上半外郭と中間外郭との接合ラインにおける外郭点の調整について説明するための図である。
【図１９】本発明の第２の実施の形態において、色材総量制限値が２５０％の場合の上半外郭の一例の説明図である。
【図２０】本発明の第２の実施の形態において、色材総量制限値が１５０％の場合の上半外郭の一例の説明図である。
【図２１】本発明の第２の実施の形態において、色材総量制限値が２５０％の場合の下半外郭の一例の説明図である。
【図２２】本発明の第２の実施の形態において、色材総量制限値が２５０％の場合の中間外郭の一例の説明図である。
【図２３】本発明の第２の実施の形態において、色材総量制限値が１５０％の場合の修正前の中間外郭の一例の説明図である。
【図２４】本発明の第２の実施の形態において、色材総量制限値が１５０％の場合の修正後の中間外郭の一例の説明図である。
【図２５】本発明の第２の実施の形態において、色材総量制限値が２５０％の場合の規制外郭の一例の説明図である。
【図２６】本発明の第２の実施の形態において、色材総量制限値が１５０％の場合の規制外郭の一例の説明図である。
【図２７】本発明の色域外郭算出装置の機能または色域外郭算出方法をコンピュータプログラムで実現した場合におけるコンピュータプログラムおよびそのコンピュータプログラムを格納した記憶媒体の一例の説明図である。
【符号の説明】
【０１３３】
１      デバイス外郭構築部
２      色空間変換部
３      パラメータ設定部
４      デバイス外郭構築部
５      パラメータ設定部
１０、２０      色域外郭算出装置
１１、２１      上半外郭構築部
１２、２２      下半外郭構築部
１３、２４      規制外郭構築部
２３      中間外郭構築部
６０      上半外郭
６２      中間外郭
６４      総量制限ライン
６６      接合ライン
３１      プログラム
３２      コンピュータ
４１      光磁気ディスク
４２      光ディスク
４３      磁気ディスク
４４      メモリ
５１      光磁気ディスク装置
５２      光ディスク装置
５３      磁気ディスク装置
【図１】
2010093621.tif 000003
【図２】
2010093621.tif 000004
【図３】
2010093621.tif 000005
【図４】
2010093621.tif 000006
【図５】
2010093621.tif 000007
【図６】
2010093621.tif 000008
【図７】
2010093621.tif 000009
【図８】
2010093621.tif 000010
【図９】
2010093621.tif 000011
【図１０】
2010093621.tif 000012
【図１１】
2010093621.tif 000013
【図１２】
2010093621.tif 000014
【図１３】
2010093621.tif 000015
【図１４】
2010093621.tif 000016
【図１５】
2010093621.tif 000017
【図１６】
2010093621.tif 000018
【図１７】
2010093621.tif 000019
【図１８】
2010093621.tif 000020
【図１９】
2010093621.tif 000021
【図２０】
2010093621.tif 000022
【図２１】
2010093621.tif 000023
【図２２】
2010093621.tif 000024
【図２３】
2010093621.tif 000025
【図２４】
2010093621.tif 000026
【図２５】
2010093621.tif 000027
【図２６】
2010093621.tif 000028
【図２７】
2010093621.tif 000029